(57)【特許請求の範囲】
【請求項１】
居室空間（１）の屋外側に、床部（２０）及び屋根部（２１）を備えた半屋外空間（２）を設けて、これら居室空間（１）と半屋外空間（２）とを住宅外壁（４）に形成した開口部（３）を介して連通した住宅であって、
前記開口部（３）において、その幅寸法（Ｗ）をその高さ寸法（Ｈ）よりも大としてフルフラットサッシ（３０）を設け、前記半屋外空間（２）の床部（２０）及び屋根部（２１）を、前記開口部（３）の幅全長に亘って跨るように配置して、
前記居室空間（１）の天井部（１５）において、前記半屋外空間（２）の屋根部（２１）における前記開口部（３）からの張出寸法（Ｌ１）に相当する長さ分だけ前記開口部（３）から屋内側に入り込んだ部位に、前記開口部（３）の幅方向に沿った境界用段差（１６）を設けて、前記居室空間（１）における前記開口部（３）から前記境界用段差（１６）までの開口部近傍空間（１０）の天井面（１５ａ）の高さレベルを、その開口部近傍空間（１０）よりも前記境界用段差（１６）を挟んで屋内側に位置する開口部離間空間（１１）の天井面（１５ｂ）の高さレベルよりも低くするとともに、前記開口部近傍空間（１０）の天井面（１５ａ）と前記半屋外空間（２）の軒裏面（２１ａ）とを略同じ高さレベルに揃え、さらに前記開口部近傍空間（１０）の床面（１７ａ）と前記半屋外空間（２）の床面（２０ａ）とを略同じ高さレベルに揃え、
前記開口部近傍空間（１０）の床面仕上げ材（Ｆ１）と前記開口部離間空間（１１）の床面仕上げ材（Ｆ２）の仕様を異ならせるとともに、前記開口部近傍空間（１０）の床面仕上げ材（Ｆ１）と前記半屋外空間（２）の床面仕上げ材（Ｆ３）の仕様を同じにしたことを特徴とする半屋外空間を備えた住宅。
【請求項２】
前記半屋外空間（２）の屋根部（２１）の張出寸法（Ｌ１）を１５００ｍｍ〜２０００ｍｍとした請求項１に記載の半屋外空間を備えた住宅。
【発明の詳細な説明】
【技術分野】
【０００１】
この発明は、例えばリビング室や和室等の居室空間の屋外側に、床部及び屋根部を備えた半屋外空間を設けた住宅に関する。
【背景技術】
【０００２】
従来より、リビング室や和室等の居室空間の屋外側に、自然とのふれ合いを身近に楽しむことができる開放的で癒し効果の高いガーデンテラスやロジア等の半屋外空間を設けて、これら居室空間と半屋外空間とを出入り可能な開口部を介して連通させた住宅が提案されている。また、庇やオーニング等の屋根部を半屋外空間に備え付けて、開放的になり過ぎるのを抑えて部屋感覚を高めるようにしたものも見受けられる（例えば、特許文献１、２参照）。
【先行技術文献】
【特許文献】
【０００３】
【特許文献１】特開２００１−３３６２９４号公報
【特許文献２】特開２００２−１８０６７７号公報
【発明の概要】
【発明が解決しようとする課題】
【０００４】
上記のような半屋外空間を備えた住宅においては、居室空間の屋外側に半屋外空間が連続することで、居室空間内での心地良さも高めることができる。しかしながら、居室空間内での心地良いと感じる場所は、開口部付近に集中し易くなっていて、開口部から離間した屋内側（奥側）にまで効果的に拡がらないといった傾向があった。これは、居室空間内に半屋外空間を取り込んだような空間設計が十分になされていないことが原因であると考えられる。
【０００５】
そこで、この発明は、上記の不具合を解消して、半屋外空間が開口部を介して連通する居室空間内において、心地良いと感じる場所を開口部から離間した奥側にまで効果的に拡げて、住み心地を高めることができる住宅の提供を目的とする。
【課題を解決するための手段】
【０００６】
この発明の半屋外空間を備えた住宅は、居室空間１の屋外側に、床部２０及び屋根部２１を備えた半屋外空間２を設けて、これら居室空間１と半屋外空間２とを住宅外壁４に形成した開口部３を介して連通させており、前記開口部３において、その幅寸法Ｗをその高さ寸法Ｈよりも大としてフルフラットサッシ３０を設け、前記半屋外空間２の床部２０及び屋根部２１を、前記開口部３の幅全長に亘って跨るように配置して、前記居室空間１の天井部１５において、前記半屋外空間２の屋根部２１における前記開口部３からの張出寸法Ｌ１に相当する長さ分だけ前記開口部３から屋内側に入り込んだ部位に、前記開口部３の幅方向に沿った境界用段差１６を設けて、前記居室空間１における前記開口部３から前記境界用段差１６までの開口部近傍空間１０の天井面１５ａの高さレベルを、その開口部近傍空間１０よりも前記境界用段差１６を挟んで屋内側に位置する開口部離間空間１１の天井面１５ｂの高さレベルよりも低くするとともに、前記開口部近傍空間１０の天井面１５ａと前記半屋外空間２の軒裏面２１ａとを略同じ高さレベルに揃え、さらに前記開口部近傍空間１０の床面１７ａと前記半屋外空間２の床面２０ａとを略同じ高さレベルに揃え前記開口部近傍空間１０の床面仕上げ材Ｆ１と前記開口部離間空間１１の床面仕上げ材Ｆ２の仕様を異ならせるとともに、前記開口部近傍空間１０の床面仕上げ材Ｆ１と前記半屋外空間２の床面仕上げ材Ｆ３の仕様を同じにしたことたことを特徴とする。なお、「フルフラットサッシ」とは、開口部に取り付けた状態で、床面に跨ぎ段差がほぼ生じないように設計された出入用窓である。
【０００９】
なお、「仕様が同じ」とは、全く同じものだけを意味するのではなく、少なくとも種類が同じであって、敷き並べたときに統一感のある外観を呈するものであれば、形状、色合い、質感等が若干異なっていても、「仕様が同じ」に含まれる。
【００１０】
また、前記半屋外空間２の屋根部２１の張出寸法Ｌ１を１５００ｍｍ〜２０００ｍｍとしている。
【発明の効果】
【００１１】
この発明の半屋外空間を備えた住宅においては、居室空間の屋外側に開口部を介して半屋外空間が連続することで、居室空間内での心地良さを高めることができる。
【００１２】
しかも、居室空間の天井部に境界用段差を設けて、半屋外空間の屋根部の張出寸法と同等の奥行寸法を有する開口部近傍空間と、それよりも奥側の開口部離間空間とを視覚的に判り易く区別するとともに、開口部近傍空間の天井面と半屋外空間の軒裏面とを略面一に揃え、さらに開口部近傍空間の床面と半屋外空間の床面を略面一に揃えていることから、開口部近傍空間と半屋外空間との一体感や繋がり感が高まり、開放的で癒し効果の高い半屋外空間を居室空間内に引き込んだような印象を与えることができる。これによって、居室空間内での心地良いと感じる場所を、開口部から離間した屋内側（奥側）にまで効果的に拡げて、住み心地をより一層高めることができる。
【００１３】
また、開口部近傍空間の床面仕上げ材と開口部離間空間の床面仕上げ材の仕様を異ならせたり、開口部近傍空間の床面仕上げ材と半屋外空間の床面仕上げ材の仕様を同じにすることで、開口部近傍空間と半屋外空間との一体感や繋がり感がより一層強調されて、半屋外空間を居室空間内に引き込んだような印象をより強く与えることができる。
【００１４】
さらに、半屋外空間の屋根部を、その張出寸法を１５００ｍｍ〜２０００ｍｍとして十分に張り出させることで、居室空間内での外を感じる度合及び緩やかに感じる度合が高くなって、居室空間内での心地良さを高めることができる。
【図面の簡単な説明】
【００１５】
【図１】この発明の一実施形態に係る半屋外空間を備えた住宅の要部斜視図である。
【図２】同じくその要部斜視図である。
【図３】同じくその要部縦断面図である。
【図４】３タイプの実験空間を説明する図である。
【図５】第１の行動評価の結果を示す図である。
【図６】第１の心理評価の結果を示す図である。
【図７】アンケート調査の結果を示す図である。
【図８】第２の行動評価の結果を示す図である。
【図９】第２の心理評価の結果を示す図である。
【図１０】実験結果を総合的に示す図である。
【発明を実施するための形態】
【００１６】
以下、この発明の実施形態を図面に基づいて詳細に説明する。この発明の一実施形態に係る半屋外空間を備えた住宅は、図１及び図２に示すように、１階の居室空間１の屋外側に半屋外空間２が設けられ、これら居室空間１と半屋外空間２とが住宅外壁４に形成された開口部３を介して連通されている。
【００１７】
居室空間１は、例えばリビング室であって、図３に示すように、後述する開口部近傍空間１０と開口部離間空間１１とを連続して備えている。そして、開口部離間空間１１の奥側には、例えばダイニング室及びキッチン室が連通されている。
【００１８】
半屋外空間２は、開口部３の下端付近から屋外側へ張り出した床部２０と、開口部３の上端付近から屋外側へ張り出した屋根部２１とを備えており、これら床部２０と屋根部２１とが互いに略平行に配されている。床部２０の床面仕上げ材Ｆ３としては、例えばタイルが使用されており、屋根部２１は、例えば平板状の庇部材からなる。
【００１９】
また、半屋外空間２の屋根部２１における開口部３からの張出寸法Ｌ１が１５００ｍｍ〜２０００ｍｍ（具体的には、２０００ｍｍ）とされ、床部２０における開口部３からの張出寸法Ｌ２が屋根部２１の張出寸法Ｌ１と同等若しくはそれよりも大きくなっている。さらに、床部２０及び屋根部２１の横幅寸法は、開口部３の幅寸法Ｗよりも大きくなっていて、これら床部２０及び屋根部２１は、開口部３の横幅全長に亘って跨るように配されている。
【００２０】
開口部３は、その幅寸法Ｗが４０００ｍｍ以上（具体的には、４０００ｍｍ）、高さ寸法Ｈが２０００ｍｍ以上（具体的には、２０００ｍｍ〜２３００ｍｍ）の大開口とされている。この開口部３には、床面に跨ぎ段差が生じないようにして、フルフラットサッシ３０が設けられている。
【００２１】
この住宅においては、居室空間１の天井部１５における半屋外空間２の屋根部２１の張出寸法Ｌ１に相当する長さ分だけ開口部３から屋内側に入り込んだ部位に、境界用段差１６が開口部３の幅方向に沿って設けられている。そして、居室空間１における開口部３から境界用段差１６までの開口部近傍空間１０の天井面１５ａの高さレベルが、その開口部近傍空間１０よりも境界用段差１６を挟んで屋内側（奥側）に位置する開口部離間空間１１の天井面１５ｂの高さレベルよりも例えば２００ｍｍ程度低くなっていて、開口部近傍空間１０の天井面１５ａと半屋外空間２の屋根部２１の軒裏面２１ａとが略同じ高さレベル（略面一）に揃うようにして連続されている。なお、より具体的に説明すると、開口部近傍空間１０は、境界用段差１６から開口部３に対して平行に垂下させた仮想垂直面１８（図３参照）と開口部３との間の空間である。
【００２２】
また、居室空間１の床部１７においては、上記のような境界用段差が設けられておらず、開口部近傍空間１０の床面１７ａと開口部離間空間１１の床面１７ｂとが略同じ高さレベル（略面一）に揃うようにして連続されている。さらに、開口部近傍空間１０の床面１７ａと半屋外空間２の床部２０の床面２０ａとが略同じ高さレベル（略面一）に揃うようにして連続されている。
【００２３】
そして、開口部近傍空間１０の床面仕上げ材Ｆ１としては、半屋外空間２の床部２０の床面仕上げ材Ｆ３と同じ種類の例えばタイルが使用され、開口部離間空間１１の床面仕上げ材Ｆ２としては、例えばフローリング材が使用されている。すなわち、開口部近傍空間１０の床面仕上げ材Ｆ１と開口部離間空間１１の床面仕上げ材Ｆ２の仕様が異なり、開口部近傍空間１０の床面仕上げ材Ｆ１と半屋外空間２の床面仕上げ材Ｆ３の仕様が同じになっている。
【００２４】
なお、居室空間１のうち開口部近傍空間１０は、気候変化の緩和機能、住人のくつろぎのための機能、屋外と連動した屋内空間としての機能、玄関や出入り口の拡大、補完機能、動植物の飼育空間としての機能等を有している。また、半屋外空間２は、四季の変化を最初に感じる場所、ひとりからみんなで楽しめる場所、室内領域を拡張した場所、近隣コミュニティ動線としての場所、ペットの居場所等の意味合いを有している。
【００２５】
上記構成の住宅においては、居室空間１と半屋外空間２との境界部分に位置する開口部３を大開口とし、半屋外空間２の屋根部２１を十分に張り出すようにしていることから、居室空間１内において、屋外を感じ易くなるとともに、プライベートをのんびりと過ごすといったイメージが膨らんで、居室空間１内での心地良さを十分に高めることができる。
【００２６】
しかも、居室空間１の天井部１５に境界用段差１６を設けて、居室空間１内を開口部近傍空間１０と開口部離間空間１１とに視覚的に判り易く区分するとともに、開口部近傍空間１０と半屋外空間２において、それら天井面１５ａと軒裏面２１ａとを略面一に揃え、さらには同仕様の床面仕上げ材Ｆ１、Ｆ３で仕上げた床面１７ａ、２０ａ同士を略面一に揃えていることから、開口部近傍空間１０と半屋外空間２との一体感や繋がり感が強調されて、開放的で癒し効果の高い半屋外空間２を居室空間１内に引き込んだような印象を強く与えることができる。これによって、居室空間１内での心地良いと感じる場所を、開口部３から離間した屋内側（奥側）にまで拡げて、住み心地を高めることができる。
【００２７】
ここで、上記構成の住宅の居室空間１において、外を感じ易くなるとともに、プライベートをのんびりと過ごすといったイメージが膨らみ、質の高い心地良さを開口部３から離間した屋内側（奥側）まで十分に感じられることを実証するための実験を行った。
【００２８】
この実験に際して、図４に示すような、標準空間、Ａ空間、Ｂ空間の３タイプの実験空間を用意した。これら標準空間、Ａ空間、Ｂ空間とも、居室空間の屋外側に開口部を介して半屋外空間を設けた構造となっている。標準空間は、居室空間の天井部に境界用段差を有しておらず、半屋外空間の屋根部の張出寸法（軒長さ）が７５０ｍｍ、開口部（袖壁及び垂壁有り）の大きさ（幅×高さ）が２０００ｍｍ×２２５０ｍｍとなっている。Ａ空間は、居室空間の天井部に境界用段差を有しておらず、半屋外空間の屋根部の張出寸法（軒長さ）が２０００ｍｍ、開口部（袖壁及び垂壁無し）の大きさ（幅×高さ）が４０００ｍｍ×２５００ｍｍとなっている。Ｂ空間は、この発明に相当するもので、居室空間の天井部に境界用段差を有しており、半屋外空間の屋根部の張出寸法（軒長さ）が２０００ｍｍ、開口部（袖壁及び垂壁無し）の大きさ（幅×高さ）が４０００ｍｍ×２３００ｍｍとなっている。
【００２９】
そして、２０人の被験者に標準空間、Ａ空間、Ｂ空間をそれぞれ体験してもらって、以下の(１)〜(５)の行動評価や心理評価、アンケート調査を実施した。
(１)各空間において、最も居心地の良い場所とそこでの最適な姿勢（床座、椅子座、寝転がる）を選択してもらった（第１の行動評価）。
(２)各空間の開口側（開口近傍位置）及び屋内側（開口離間位置）において、「気持ち良さを感じるか否か」「居心地の良さを感じるか否か」について評価してもらった（第１の心理評価）。
(３)(１)で選択した居心地の良い場所において、「誰と過ごしたいか」「何をして過ごしたいか」を複数項目の中から回答してもらった（アンケート調査）。
(４)各空間において、外を感じる領域と内を感じる領域との境界位置を示してもらった（第２の行動評価）。
(５)各空間の開口側（開口近傍位置）及び屋内側（開口離間位置）において、「外と内のどちらを感じるか」「外との一体感のあるかないか」について評価してもらった（第２の心理評価）。
【００３０】
第１の行動評価の結果を図５に示す。この結果から、標準空間においては、居心地の良い場所が開口部付近に集中しているのに対して、Ａ空間及びＢ空間においては、標準空間に比べて、居心地の良い場所が居室空間内に拡がっていることが判る。また、居室空間の天井部に境界用段差を設けたＢ空間においては、境界用段差を設けていないＡ空間に比べて、居心地の良い場所が居室空間全体に拡大する傾向にあった。その原因としては、居室空間内が境界用段差によって開口部近傍空間と開口部離間空間とに視覚的に区別されて、同程度の奥行寸法を有する開口部近傍空間と半屋外空間とが大開口を介して連通することで、Ａ空間に比べて、開放的で癒し効果の高い半屋外空間を居室空間内の開口部側に取り込んだような印象を被験者に強く与えたからであると考えられる。また、Ｂ空間においては、開口部近傍空間で寝転がる姿勢が最適であるとした被験者が少なからず見受けられた。
【００３１】
第１の心理評価の結果を図６に示す。Ａ空間及びＢ空間では、開口側（開口近傍位置）及び屋内側（開口離間位置）、これらを総合した空間全体において、標準空間に比べて「気持ち良さ」「居心地の良さ」を感じるとした被験者が多く、心地良さの度合が高いことが判る。
【００３２】
アンケート調査の結果を図７に示す。「誰と過ごしたいか」に対する回答結果を検討すると、標準空間では「１人」及び「夫婦」と回答した被験者の合計が全体の３３％であったが、Ａ空間では５２％、Ｂ空間では６３％といったように、Ａ空間及びＢ空間では半数以上の被験者がプライベートを過ごす空間をイメージしていることが判る。また、「何をして過ごしたいか」に対する回答結果を検討すると、標準空間では「のんびりする」「読書」「外を楽しむ」「軽い睡眠」と回答した被験者の合計が全体の４２％であったが、Ａ空間では５３％、Ｂ空間では５７％といったように、Ａ空間及びＢ空間では半数以上の被験者がゆったりとくつろぐシーンを想定していることが判る。従って、Ａ空間及びＢ空間においては、プライベートをゆったりとくつろぐといったイメージが膨らみ易く、緩やかに感じる度合が高いことが判る。その原因としては、開口部を大開口としているにもかかわらず、半屋外空間の軒長さが長くなっていることから、床座、椅子座、寝転がるといった姿勢をとっている被験者の目と軒先を結ぶ目線の角度が、標準空間の場合と比べて小さくなり、開放感がありながらも奥行き感のある印象を被験者に与えたからであると考えられる。
【００３３】
第２の行動評価の結果を図８に示す。標準空間では、開口部から内外の境界位置までの距離が１３５３ｍｍ（平均値）であったが、Ａ空間では１９８２ｍｍ（平均値）、Ｂ空間では１７５８ｍｍ（平均値）であった。従って、Ａ空間及びＢ空間においては、標準空間に比べて、居室空間内での外と感じる領域が広くなっていることが判る。
【００３４】
第２の心理評価の結果を図９に示す。Ａ空間及びＢ空間では、開口側（開口近傍位置）及び屋内側（開口離間位置）、これらを総合した空間全体において、標準空間よりも「外と感じる」「外との一体感のある」とした被験者が多く、外を感じる度合が高いことが判る。
【００３５】
上記の実験結果から明らかなように、開口部が大開口で半屋外空間の軒長さが長いＡ空間及びＢ空間においては、図１０に示すように、標準空間に比べて、居室空間内での外を感じる度合及び緩やかに感じる度合が高く、心地良さが高まる。しかも、Ａ空間及びＢ空間においては、標準空間に比べて、心地良いと感じる場所が居室空間内に広範囲に拡がり、特に居室空間の天井部に境界用段差を設けたＢ空間においては、開口部から離間した屋内側（奥側）にまで効果的に拡がることが実証されている。
【００３６】
この発明は、上記実施形態に限定されるものではなく、この発明の範囲内で上記実施形態に多くの修正及び変更を加え得ることは勿論である。例えば、居室空間としては、リビング室に限らず、例えばダイニング室や和室等であっても良い。また、半屋外空間の床部は、タイル張り仕様のものに限らず、例えばウッドデッキを使用したものであっても良く、半屋外空間の屋根部は、庇部材に限らず、上層階のオーバーハングした部屋やバルコニーの軒裏部分であっても良い。さらに、上記実施形態においては、開口部近傍空間の床面仕上げ材（タイル）と開口部離間空間の床面仕上げ材（フローリング材）の仕様を異ならせるとともに、開口部近傍空間の床面仕上げ材（タイル）と半屋外空間の床面仕上げ材（タイル）の仕様を同じにしていたが、例えば開口部近傍空間の床面仕上げ材を畳材、開口部離間空間の床面仕上げ材をフローリング材、半屋外空間の床面仕上げ材をウッドデッキにするといったように、これら床面仕上げ材の仕様を夫々異ならせるようにしても良い。
【符号の説明】
【００３７】
１・・居室空間、２・・半屋外空間、３・・開口部、４・・住宅外壁、１０・・開口部近傍空間、１１・・開口部離間空間、１５・・居室空間の天井部、１５ａ・・開口部近傍空間の天井面、１５ｂ・・開口部離間空間の天井面、１６・・境界用段差、１７・・居室空間の床部、１７ａ・・開口部近傍空間の床面、２０・・半屋外空間の床部、２０ａ・・半屋外空間の床面、２１・・半屋外空間の屋根部、２１ａ・・半屋外空間の軒裏面、３０・・フルフラットサッシ、Ｌ１・・張出寸法、Ｗ・・幅寸法、Ｈ・・高さ寸法、Ｆ１・・開口部近傍空間の床面仕上げ材、Ｆ２・・開口部離間空間の床面仕上げ材、Ｆ３・・半屋外空間の床面仕上げ材
【図１】
0005549718.tif 000002
【図２】
0005549718.tif 000003
【図３】
0005549718.tif 000004
【図４】
0005549718.tif 000005
【図５】
0005549718.tif 000006
【図６】
0005549718.tif 000007
【図７】
0005549718.tif 000008
【図８】
0005549718.tif 000009
【図９】
0005549718.tif 000010
【図１０】
0005549718.tif 000011